(57)【特許請求の範囲】
【請求項１】
時計体が設けられるケース本体、および裏蓋を有する外装ケースと、
前記裏蓋に対向した状態で前記外装ケースに着脱可能に固定される連結部材と、
前記連結部材を介して前記外装ケースに連結されるバンドと、を備える
ことを特徴とする時計。
【請求項２】
請求項１に記載の時計において、
前記裏蓋は、前記ケース本体の開口部に嵌合するダボを有する
ことを特徴とする時計。
【請求項３】
請求項１または２に記載の時計において、
前記バンドは、腕の周りにほぼ沿って湾曲し、
前記ケース本体および前記連結部材は、前記バンドの湾曲形状に連続して湾曲している
ことを特徴とする時計。
【請求項４】
請求項１から３のいずれかに記載の時計において、
前記連結部材は、前記外装ケース側から前記バンド側に向かって次第に縮径している
ことを特徴とする時計。
【請求項５】
請求項３または４に記載の時計において、
前記時計体が有する時刻表示部と前記裏蓋とを結ぶ前記時計体の軸方向は、前記ケース本体の湾曲方向に対して交差している
ことを特徴とする時計。
【請求項６】
請求項３から５のいずれかに記載の時計において、
前記裏蓋は、前記ケース本体の開口部に嵌合するダボを有し、
前記裏蓋の外周部の一部は、前記ケース本体の湾曲形状における内周側で前記ケース本体から露出している
ことを特徴とする時計。
【請求項７】
請求項１から６のいずれかに記載の時計において、
前記連結部材には、前記裏蓋に向かって突出する突出部が形成され、
前記ケース本体における前記裏蓋の周りの少なくとも一部には、前記連結部材に向かって突出する突出部が形成され、
前記連結部材と前記ケース本体とは、前記裏蓋にほぼ沿った方向において前記連結部材の突出部と前記ケース本体の突出部とに挿入される固定部材によって固定されている
ことを特徴とする時計。
【請求項８】
請求項１から７のいずれかに記載の時計において、
前記連結部材における前記バンド側の端部には、前記バンドの端部に形成された凸部が挿入される凹部が形成され、
前記連結部材と前記ケース本体とは、前記凹部の底部から前記ケース本体に向かって挿入される固定部材によって固定され、
前記連結部材と前記バンドとは、前記凹部に前記凸部が挿入された状態で前記連結部材と前記凸部とに挿入される固定部材によって固定されている
ことを特徴とする時計。
【発明の詳細な説明】
【技術分野】
【０００１】
本発明は、時計バンドと時計の外装ケースとの連結構造に関する。
【背景技術】
【０００２】
従来、時計バンドと時計の外装ケースとの連結構造には各種のものがあるが、複数の駒により形成された金属製バンドあるいは平坦な革製バンドとケースとの連結構造としては、ケースの胴の側面に設けられたバンド連結部とバンドとにばね棒を挿通する構造（例えば特許文献１）や、バンド連結部とバンドとにピンおよびＣリングを挿通する構造（例えば特許文献２）が一般的である。
また、環状またはＣ字状に形成されたバングルと呼ばれるバンドの場合（例えば特許文献３）、胴の側面にバンドの端部がろう付けなどによって接合されているものが多い。
すなわち、バンドとケースとは直接連結されることが多く、バンドは胴の側面から突出するように設けられていた。
【０００３】
【特許文献１】特開平８−３３２１０６号公報
【特許文献２】実開平５−９４７８７号公報
【特許文献３】実用新案登録第３００６０７３号
【発明の開示】
【発明が解決しようとする課題】
【０００４】
特許文献１〜３のような時計バンドの連結構造の場合、バンドが胴の側面から突出するように設けられているため、バンドと時計本体とは、外観上独立している。
ここで、特許文献３のようなバングル時計の場合、ケースの連結部とバンド（バングル）の端部とが曲線などで構成された連続した形状となるようにケースとバンドとを連結することが意匠上好ましい場合があるが、ケースにおけるバンドの連結位置によっては、この連結部分の設計および製造が難しくなることが考えられる。例えば、ケースの裏蓋に近い位置にバンドを連結しようとすると、裏蓋の開閉がしずらくなったり、できなくなったりする虞がある。
【０００５】
一般に、ケースの高さよりもバンドの高さの方が寸法が小さく、ケース径よりもバンドの幅が小さいため、ケースとバンドとを連続した形状とするには、ケースとバンドとの連結部分の形状をケース側からバンド側に向かって絞る必要があるが、裏蓋を開ける治具を挿入するスペースを考慮すると、ケースからバンド側に向かってあまり絞った形状とすることができない。また、裏蓋がネジ固定の場合、ネジを立てるスペースによってケースが大径化するので、ケースとバンドとを連続した形状とすることがより難しくなる。すなわち、裏蓋の位置または裏蓋の近傍でケースにバンドを連結する場合、ケースとバンドとの連続性が失われてしまうという問題があった。
ここで、裏蓋そのものをケースとバンドとの連結部材とすることによってケースとバンドとを連続した形状とすることも考えられるが、衝撃時に裏蓋に負荷が掛かり、バンドが裏蓋から離脱するなどの虞がある。このため、裏蓋の固定構造が制限されてしまう。
【０００６】
上記のような課題に鑑みて、本発明の目的は、裏蓋の開閉に支障なくケースとバンドとを連続した形状に連結可能であり、しかも裏蓋構造が制限されない時計を提供することにある。
【課題を解決するための手段】
【０００７】
本発明の時計は、時計体が設けられるケース本体、および裏蓋を有する外装ケースと、前記裏蓋に対向した状態で前記外装ケースに着脱可能に固定される連結部材と、前記連結部材を介して前記外装ケースに連結されるバンドと、を備えることを特徴とする。
【０００８】
この発明では、連結部材が外装ケースとバンドとの間に介在するので、外装ケース側からバンドに向かって絞った形状となるようにケースとバンドとを連続的な形状に連結しても外装ケースの裏蓋近傍はそれほど細くならない。すなわち、外装ケースと連結部材とを連続した形状に連結しつつ、連結部材が外装ケースから取り外された状態において治具により裏蓋を容易に開閉できる。
ここで、ケース本体とバンドとが連結部材を介して連結されることにより、ケースがバンド径に対してかなり大径であったとしてもケース本体とバンドとを連続した形状にできる。
そのうえ、ケース本体やバンドの形状が変わった場合に、ケース本体がバンドに直接連結される構造ではケース本体における連結部やバンドの端部の形状を変更する必要があるのに対して、本発明では連結部材の形状を変更すればよいことから、モデル展開を促進できる。
さらには、ケース本体にバンドの固定部を形成するよりも連結部材にバンドの固定部を形成する方が容易なため、バンドの取付を容易にできる。
【０００９】
しかも、外装ケースとバンドとが連結された状態で裏蓋に連結部材が対向し、落下衝撃時などに裏蓋に直接負荷が掛かりにくいため、衝撃時に裏蓋が外装ケースから外れにくい。従って、例えばダボ固定構造など、耐衝撃性がスクリュー裏蓋構造などと比べて低い裏蓋固定構造を採用した場合でも、衝撃に対する信頼性を確保できる。すなわち、裏蓋の固定構造が制限されない。
【００１０】
本発明の時計において、前記裏蓋は、前記ケース本体の開口部に嵌合するダボを有することが好ましい。
【００１１】
この発明によれば、ダボ固定構造は省スペースであってケース本体が大径化しないので、ケース本体からバンドにかけて連続した形状とすることを容易にできる。
また、前述のように衝撃の際に裏蓋が外れにくいため、固定力が比較的弱いダボ固定構造を採用することによって本発明の効果を大きくできる。
【００１２】
本発明の時計において、前記バンドは、腕の周りにほぼ沿って湾曲し、前記ケース本体および前記連結部材は、前記バンドの湾曲形状に連続して湾曲していることが好ましい。
【００１３】
この発明によれば、時計全体が連続した湾曲形状とされるため、外観意匠性を向上させることができる。
【００１４】
本発明の時計において、前記連結部材は、前記外装ケース側から前記バンド側に向かって次第に縮径していることが好ましい。
【００１５】
この発明では、外装ケースにおける裏蓋に対向する位置での径とバンドの径とではバンドの径の方が小径であることが多いことを踏まえて、連結部材が縮径した形状とされている。すなわち、連結部材を介して外装ケースとバンドとを連続した形状に容易に連結することができる。
なお、バンドおよび連結部材の断面形状は、円形、楕円形、多角形など適宜決められる。
【００１６】
本発明の時計において、前記時計体が有する時刻表示部と前記裏蓋とを結ぶ前記時計体の軸方向は、前記ケース本体の湾曲方向に対して交差していることが好ましい。
【００１７】
時計体（ムーブメント）の軸方向がケース本体の湾曲方向にほぼ沿っている場合には、時刻表示部（文字板や表示パネル）が腕の周りにほぼ沿った方向に向くが、本発明のように時計体の軸方向がケース本体の湾曲方向に交差することにより、時刻表示部を見やすい方向となるようにケース本体に設けることが可能となる。
【００１８】
本発明の時計において、前記裏蓋は、前記ケース本体の開口部に嵌合するダボを有し、前記裏蓋の外周部の一部は、前記ケース本体の湾曲形状における内周側で前記ケース本体から露出していることが好ましい。
【００１９】
この発明によれば、裏蓋の外周部の一部がケース本体から露出するため、裏蓋をこじあけ易い。ここで、裏蓋の外周部が露出する位置が腕側とされ目立たないため、外観意匠を良好にできる。
【００２０】
本発明の時計において、前記連結部材には、前記裏蓋に向かって突出する突出部が形成され、前記ケース本体における前記裏蓋の周りの少なくとも一部には、前記連結部材に向かって突出する突出部が形成され、前記連結部材と前記ケース本体とは、前記裏蓋にほぼ沿った方向において前記連結部材の突出部と前記ケース本体の突出部とに挿入される固定部材によって固定されていることが好ましい。
【００２１】
この発明によれば、連結部材の突出部と、この突出部には対向しないケース本体の突出部とにねじやばね棒などの固定部材を挿入することにより、ケース本体と連結部材とを容易に固定できる。
そのうえ、突出部同士が固定された状態において連結部材の突出部が裏蓋に近接するため、耐衝撃性を向上させることができる。
【００２２】
本発明の時計において、前記連結部材における前記バンド側の端部には、前記バンドの端部に形成された凸部が挿入される凹部が形成され、前記連結部材と前記ケース本体とは、前記凹部の底部から前記ケース本体に向かって挿入される固定部材によって固定され、前記連結部材と前記バンドとは、前記凹部に前記凸部が挿入された状態で前記連結部材と前記凸部とに挿入される固定部材によって固定されていることが好ましい。
【００２３】
この発明では、連結部材とケース本体との固定部材が挿入される凹部にバンドの凸部が挿入される。つまり、連結部材の凹部が連結部材およびケース本体の連結と、連結部材およびバンド部材の連結とに兼用されるので、スペース効率を高くできる。
また仮に、バンドの端部に凹部が形成され、連結部材におけるバンド側の端部に凸部が形成されている場合、バンドと連結部材との固定部材がバンドの仕上げ後の表面に露出してしまうが、本発明のようにバンドの端部に凸部、連結部材におけるバンド側の端部に凹部が形成されることにより、仕上げ後のバンド表面に固定部材が露出しない。これにより、バンド表面の仕上げ後にバンドと連結部材とを固定することが可能となるので、作業性が良くなる。
【００２４】
ここで、前述のように連結部材とケース本体とが裏蓋にほぼ沿った方向において連結部材の突出部とケース本体の突出部とに挿入される固定部材によって固定されている構成の場合には、連結部材とケース本体とが裏蓋にほぼ沿った方向と、裏蓋に交差する方向との二方向で固定されるため、耐衝撃性をより高くできる。
【発明の効果】
【００２５】
以上の本発明によれば、裏蓋の開閉に支障なく外装ケースとバンドとを連続した形状に連結可能であり、しかも裏蓋構造が制限されない時計を提供できる。
【発明を実施するための最良の形態】
【００２６】
以下、本発明の一実施形態について説明する。なお、以降の説明において、既に説明した構成と同様の構成については、同一符号を付して、説明を省略もしくは簡略する。
【００２７】
図１は本実施形態に係る腕時計の使用状態を示す斜視図であり、図２は本実施形態の腕時計の側面図である。本実施形態の腕時計は、外装ケース１０と、外装ケース１０に着脱可能にねじで固定される連結部材２０と、連結部材２０により外装ケース１０に連結されるバンド部材３０と、バンド部材３０の端部に固定されるパーツ３５とを備えている。
本実施形態の時計のバンドは、バンド部材３０とパーツ３５とを有して全体として略環状に構成されたバングルタイプとされ、腕の周りにほぼ沿って湾曲している。
外装ケース１０および連結部材２０は、バンド部材３０の湾曲形状に連続して湾曲している。これらのケース本体１１および連結部材２０の湾曲方向を図２にＲで示す。
【００２８】
図４は、バンド部材３０の斜視図である。バンド部材３０は、樹脂製などの任意の材質で形成された断面略楕円形の芯材３１と、この芯材３１に巻かれた表皮材３２とを備えている。
芯材３１は、長さ方向にＣ字状に湾曲して形成されている。芯材３１の一端部には連結部材２０に固定される直方体状の凸部３１１が形成され、芯材３１の他端部にはパーツ３５取付用の孔３１２が形成されている。この芯材３１の内周部には、周方向に沿って溝３１０が形成されている。
凸部３１１には、図示しないばね棒が挿通される孔３１１Ａが形成されている。
【００２９】
表皮材３２は、革、布、樹脂製シートなどの柔軟性を有する任意の材質で形成され、芯材３１との間に接着剤が介在した状態で凸部３１１および孔３１２の近傍を除く芯材３１の表面略全体に沿って設けられている。
表皮材３２の端縁部同士は、芯材３１の溝３１０に対応する位置で、絹、綿、樹脂繊維などの適宜の材質から形成された糸３４によって縫い合わせられている。
【００３０】
図５は、外装ケース１０および連結部材２０の斜視図であり、図６は、外装ケース１０および連結部材２０の平面図である。また、図７は、外装ケース１０を図５とは反対側から見た斜視図である。そして、図８は、外装ケース１０および連結部材２０の縦断面図である。
外装ケース１０は、図８に示すように、時計体としてのムーブメント１００が設けられるケース本体１１と、裏蓋１２と、風防ガラス１３とを有している。風防ガラス１３はケース本体１１の開口部に直接接着されている。
【００３１】
本実施形態のムーブメント１００は、文字板１０１および指針１０２により時刻が表示されるアナログ表示式の電子時計となっているが、搭載されるムーブメントの種類はこれに限らず、時刻表示部として液晶パネル等を備えたディジタル表示式の電子時計であってもよい。また、電子制御式機械時計や機械時計であってもよい。
【００３２】
ムーブメント１００の外周部とケース本体１１との間には、ムーブメント１００固定用の筒状の枠体１０３が設けられ、ムーブメント１００の６時方向には巻真１０４およびりゅうず１０５が設けられている。また、ムーブメント１００における裏蓋１２に対向する部分には、電池１０６が収納されている。
ここで、ムーブメント１００は、文字板１０１および指針１０２を有する時刻表示部と裏蓋１２とを結ぶムーブメント１００の軸方向Ｓがケース本体１１の湾曲方向Ｒ（図２）に対して交差した向きとなるようにケース本体１１に設けられている。
【００３３】
ケース本体１１は、図５に示すようにムーブメント１００の軸方向Ｓに対して偏心した略筒状に形成されており、ケース本体１１における１２時側の部分は風防ガラス１３側から連結部材２０側に向かって次第に外側に膨出している。また、ケース本体１１における６時方向上面側の部分は、りゅうず１０５の位置よりも外側に突出している。
なお、ケース本体１１の内側には、図８に示すように文字板１０１の外周縁部を隠す見切り１１５が設けられている。
【００３４】
ケース本体１１における裏蓋１２の周りの部分は、図７に示すように裏蓋１２に対して高さ方向に突出したケース本体突出部１１１とされている。
ケース本体突出部１１１における１２時側の部分は３時側および９時側の部分に比べて高くなっており、この１２時側の部分には裏蓋１２と交差する方向に沿って２つのねじ孔１１１Ａが形成されている。また、ケース本体突出部１１１における３時方向および９時方向のそれぞれの近傍の位置には、裏蓋１２に沿った方向にねじが挿通される孔１１１Ｂが形成されている。
また、ケース本体１１における６時方向の部分には、裏蓋１２の外周部の一部が挿入される切欠１１３が形成されている。
【００３５】
裏蓋１２は、図７に示すように、円形状の裏蓋本体１２１と、裏蓋本体１２１の外周部の一部に連設され裏蓋本体１２１から立ち上がる段差部１２２とを有している。段差部１２２は、ケース本体１１の切欠１１３からケース本体１１の外側に露出しており、段差部１２２とケース本体１１との間にはこじあけ口１２２Ａ（図８）が形成されている。
また、裏蓋本体１２１の裏側には、図８のIX-IX線断面図である図９に示すように、ケース本体１１の開口部１１４に嵌合するダボ１２３が形成されている。このダボ１２３は、裏蓋本体１２１の外周縁部に沿って、６時方向と１２時方向とを除いた部分に形成されている。ケース本体１１の開口部１１４と裏蓋本体１２１との間にはリング状のゴム製パッキン１２４が介装されている。
【００３６】
図１０は、連結部材２０の斜視図である。連結部材２０は、外装ケース１０側からバンド部材３０側に向かって次第に縮径している。連結部材２０の上面部２０Ａは、ケース本体突出部１１１（図７）および裏蓋１２の段差部１２２（図７）に対向し、外装ケース１０の外形とスムースに連続している。
連結部材２０の上面部２０Ａには、ケース本体突出部１１１の内側に挿入された状態で裏蓋１２に対向する直方体状の連結部材突出部２１が形成されている。この連結部材突出部２１と裏蓋１２とは、図８、図９に示すように隙間Ａを挟んで近接する。
連結部材突出部２１には、図１０に示すように軽量化用の孔２１０が形成されているとともに、ケース本体突出部１１１に形成された各孔１１１Ｂ（図７）にそれぞれ対応するねじ孔である第１固定孔２１１が形成されている。この第１固定孔２１１にはそれぞれ、図８のXI-XI線断面図である図１１に示すように、固定部材としてのねじ２５が孔１１１Ｂを介して挿入される。
【００３７】
連結部材２０の下端部２０Ｂは、バンド部材３０の断面形状と同様の形状に形成されており、バンド部材３０の外形とスムースに連続している。
また、連結部材２０の下端部２０Ｂには、図８に示すように、バンド部材３０側から外装ケース１０側に向かって窪む凹部２２が形成されている。
凹部２２の内周部には、段差２２Ａが設けられており、凹部２２における段差２２Ａの位置までバンド部材３０の凸部３１１（図３）が挿入される。凹部２２におけるバンド部材３０の孔３１１Ａ（図４）の両端側にそれぞれ対応する位置には、バンド固定孔２３１が形成されている。
そして凹部２２の底部２２Ｂには、上面部２０Ａまで貫通する２つの第２固定孔２３２が形成されている。これらの第２固定孔２３２にはそれぞれ、固定部材としてのねじ２６が挿通される。
【００３８】
以上説明した外装ケース１０と、連結部材２０と、バンド部材３０とを組み立てる際には、図８のように外装ケース１０における裏蓋１２が設けられた側に連結部材２０を配置し、ケース本体突出部１１１および裏蓋１２の段差部１２２が連結部材２０の上面部２０Ａに当接した状態とする。この状態で連結部材２０とケース本体１１とをねじ２６およびねじ２５（図１１）によって固定する。具体的には、図８のように連結部材２０の第２固定孔２３２からねじ２６を挿入してケース本体１１のねじ孔１１１Ａにねじ込む。また、図１１のようにケース本体１１の外周部からねじ２５を挿入して連結部材２０の第１固定孔２１１にねじ込む。
【００３９】
次に、連結部材２０にバンド部材３０（図４）を固定する。なお、バンド部材３０の芯材３１には既に表皮材３２が巻き付けられて縫合されているものとする。このバンド部材３０の凸部３１１の孔３１１Ａにばね棒（不図示）を挿通した状態とし、バンド部材３０の凸部３１１を連結部材２０の凹部２２（図８）に挿入することにより、バンド部材３０が連結部材２０に固定される。そしてバンド部材３０にパーツ３５（図２）を連結することにより、本実施形態の時計の組立が完了する。この時計を図１のように腕に装着する際には、バンド部材３０およびパーツ３５で形成される環を内側から外側に拡げながら環の中に腕を通せばよい。
【００４０】
ここで、図８のように裏蓋１２に隙間Ａを挟んで連結部材突出部２１が対向しているため、時計を落としたりぶつけたりした際に、連結部材突出部２１が裏蓋１２の度当たりとなる。このため、裏蓋１２がケース本体１１から外れにくい。
【００４１】
一方、電池交換時などに裏蓋１２を開ける際には、まず、バンド部材３０と連結部材２０とを固定するばね棒（不図示）を外し、連結部材２０の凹部２２からバンド部材３０の凸部３１１を抜き出す。この後、連結部材２０と外装ケース１０とを固定するねじ２５およびねじ２６を外し、こじあけ口１２２Ａ（図８）から治具を挿入して裏蓋１２をこじあけることにより、ダボ１２３（図９）がケース本体１１から外れる。
【００４２】
本実施形態によれば、次のような効果が得られる。
（１）連結部材２０が外装ケース１０とバンド部材３０との間に介在するので、外装ケース１０とバンド部材３０とが連続的な形状に連結されていても外装ケース１０の裏蓋１２近傍はそれほど細くならない。すなわち、外装ケース１０と連結部材２０とを連続した形状に連結しつつ、連結部材２０が外装ケース１０から取り外された状態において治具により裏蓋１２を容易に開閉できる。
【００４３】
（２）外装ケース１０とバンド部材３０とが連結された状態で裏蓋１２に連結部材２０が対向し、落下衝撃時などに裏蓋１２に直接負荷が掛かりにくいため、裏蓋１２が外装ケース１０から外れにくい。これにより、衝撃に対する信頼性を確保できる。
また、裏蓋１２が省スペースなダボ固定構造とされているため、ケース本体１１が大径化しない。このため、ケース本体１１からバンド部材３０にかけて連続した形状とすることを容易にできる。
【００４４】
（３）ケース本体１１やバンド部材３０の形状が変わった場合に、ケース本体がバンド部材に直接連結される構造ではケース本体における連結部やバンド部材の端部の形状を変更する必要があるのに対して、本実施形態では連結部材２０の形状を変更すればよいことから、モデル展開を促進できる。
【００４５】
（４）ケース本体１１にバンド部材３０の固定部を形成するよりも連結部材２０にバンド部材３０の固定部（凹部２２など）を形成する方が容易なため、バンド部材３０の取付を容易にできる。
【００４６】
（５）ケース本体１１および連結部材２０がバンド部材３０の湾曲形状に連続して湾曲しているため、時計の外観意匠性を向上させることができる。
【００４７】
（６）連結部材２０が外装ケース１０側からバンド部材３０側に向かって次第に縮径していることにより、連結部材２０を介して外装ケース１０とバンド部材３０とを連続した形状に容易に連結することができる。
【００４８】
（７）ムーブメント１００の軸方向Ｓがケース本体１１の湾曲方向Ｒに対して交差しており、文字板１０１および指針１０２が腕に沿った方向に対して上側に向いているので、時刻の視認性を向上させることができる。
【００４９】
（８）裏蓋１２の段差部１２２がケース本体１１の切欠１１３から外部に露出しているので、裏蓋１２をこじあけ易い。ここで、段差部１２２が露出する位置は腕に対向する側（６時方向）であって目立たないため、外観意匠を良好にできる。
【００５０】
（９）連結部材突出部２１と、この連結部材突出部２１には対向しないケース本体突出部１１１とにねじ２５を挿入することにより、ケース本体１１と連結部材２０とを容易に固定できる。
そのうえ、これらの連結部材突出部２１とケース本体突出部１１１とが固定された状態において連結部材突出部２１が裏蓋１２に近接するため、耐衝撃性を向上させることができる。
【００５１】
（１０）連結部材２０とケース本体１１とを固定するねじ２６が挿入される凹部２２にバンド部材３０の凸部３１１が挿入されており、連結部材２０の凹部２２が連結部材２０およびケース本体１１の連結と、連結部材２０およびバンド部材３０の連結とに兼用されるので、スペース効率を高くできる。
【００５２】
（１１）バンド部材３０の端部に凸部３１１が形成され、連結部材２０におけるバンド部材３０側の端部に凹部２２が形成されることにより、バンド部材３０の表皮材３２の表面にねじが露出することなく、バンド部材３０と連結部材２０とを固定することが可能となる。つまり、芯材３１への表皮材３２の巻きつけ後に、バンド部材３０と連結部材２０とを固定することが可能となるので、作業性が良くなる。
【００５３】
（１２）連結部材２０とケース本体１１とは、裏蓋１２にほぼ沿った方向に設けられるねじ２５と、裏蓋１２に交差する方向に設けられるねじ２６とによって二方向で固定されるため、耐衝撃性をより高くできる。
【００５４】
〔本発明の変形例〕
本発明は前記実施形態には限定されず、本発明の課題を解決しうる範囲で各種の改良および変形が可能である。
前記実施形態では、図１１のように２本のねじ２５によって連結部材２０とケース本体１１とが固定されていたが、連結部材２０とケース本体１１との固定部材はねじに限らない。例えば、図１２のようにケース本体１１と連結部材２０とに形成された貫通孔４０に設けられるピン４１および断面Ｃ字状のパイプ４２とによって連結部材２０とケース本体１１とが固定されていてもよい。パイプ４２は貫通孔４０におけるケース本体１１の一端部に配置されており、このパイプ４２内にピン４１が圧入されることにより、ピン４１およびパイプ４２が貫通孔４０内に固定される。
また、図１３のように連結部材２０とケース本体１１とがねじピン４３によって固定されていてもよい。
【００５５】
図１４に、前記実施形態とは異なる形状の外装ケース４５および連結部材４６を示す。本例の外装ケース４５および連結部材４６は断面略四角形状とされている。これらの外装ケース４５および連結部材４６の構造はそれぞれ、前記実施形態の外装ケース１０および連結部材２０の構造と略同様に構成されているため、説明を省略する。なお、連結部材４６には、断面四角形状のバンド部材が連結されることが好ましい。これにより、前記実施形態の時計と同様に、時計全体が連続した湾曲形状とされるため、外観意匠性を向上させることができる。
【００５６】
前記実施形態における裏蓋固定構造はダボ食いつけ構造であったが、裏蓋の固定構造はこれに限定されず、任意の固定構造を採用できる。本発明では外装ケースとバンドとの間に連結部材が介在することにより、裏蓋がケースの奥に潜り込むほどケースが細くならず、裏蓋を開けるための治具を挿入するスペースが確保されるから、ケース本体の開口部に形成された雌ネジにねじ込まれるスクリュー裏蓋固定構造の採用も可能である。スクリュー裏蓋の外周縁部には治具係合用の溝が形成されており、この溝に治具を係合させて裏蓋を回転させることにより、裏蓋の開閉が行える。
また、裏蓋がねじによってケース本体に固定される構造としてもよい。この場合、ねじを立てるスペースの分、ケース本体が大径となるが、連結部材を適宜な長さとして外装ケース側からバンド側に縮径した形状とすることにより、外装ケースからバンドまでスムースに連続した形状とすることが可能となる。
【００５７】
以上、本発明を実施するための最良の構成について具体的に説明したが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形および改良を加えることができるものである。
上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５８】
【図１】本発明の一実施形態に係る時計を腕に装着した状態を示す斜視図。
【図２】前記時計の側面図。
【図３】前記時計の分解側面図。
【図４】前記時計のバンド部材の斜視図。
【図５】外装ケースおよび連結部材の斜視図。
【図６】外装ケースおよび連結部材の平面図。
【図７】外装ケースを図５とは反対側から見た斜視図。
【図８】外装ケースおよび連結部材の縦断面図。
【図９】図８のIX-IX線断面図。
【図１０】連結部材の斜視図。
【図１１】図８のXI-XI線断面図。
【図１２】本発明の変形例に係る連結部材とケース本体との固定構造を示す図。
【図１３】本発明の他の変形例に係る連結部材とケース本体との固定構造を示す図。
【図１４】前記実施形態とは異なる形状の外装ケースおよび連結部材を示す斜視図。
【符号の説明】
【００５９】
１０・・・外装ケース、１１・・・ケース本体、１２・・・裏蓋、１３・・・風防ガラス、２０Ｂ・・・下端部、２０Ａ・・・上面部、２０・・・連結部材、２１・・・連結部材突出部、２２・・・凹部、２２Ａ・・・段差、２２Ｂ・・・底部、３０・・・バンド部材、３１・・・芯材、３２・・・表皮材、３４・・・糸、３５・・・パーツ、４０・・・貫通孔、４１・・・ピン、４２・・・パイプ、４３・・・ピン、４５・・・外装ケース、４６・・・連結部材、１００・・・ムーブメント、１０１・・・文字板（時刻表示部）、１０２・・・指針（時刻表示部）、１０３・・・枠体、１０４・・・巻真、１０６・・・電池、１１１・・・ケース本体突出部、１１１Ａ・・・ねじ孔、１１１Ｂ・・・孔、１１３・・・切欠、１１４・・・開口部、１２１・・・裏蓋本体、１２２Ａ・・・口、１２２・・・段差部、１２３・・・ダボ、１２４・・・ゴム製パッキン、２１０・・・孔、２１１・・・第１固定孔、２３１・・・バンド固定孔、２３２・・・第２固定孔、３１０・・・溝、３１１Ａ・・・孔、３１１・・・凸部、３１２・・・孔、Ｒ・・・湾曲方向、Ｓ・・・軸方向。
【図１】
0005119829.tif 000002
【図２】
0005119829.tif 000003
【図３】
0005119829.tif 000004
【図４】
0005119829.tif 000005
【図５】
0005119829.tif 000006
【図６】
0005119829.tif 000007
【図７】
0005119829.tif 000008
【図８】
0005119829.tif 000009
【図９】
0005119829.tif 000010
【図１０】
0005119829.tif 000011
【図１１】
0005119829.tif 000012
【図１２】
0005119829.tif 000013
【図１３】
0005119829.tif 000014
【図１４】
0005119829.tif 000015